(57)【要約】      （修正有）【課題】簡単な構造で取り扱い性に優れたこたつの支持脚取り付け構造を提供する。【解決手段】支持脚９の上端側内部に接続ロック装置３１を固定する。接続ロック装置３１を、支持収容部３５と、この支持収容部３５に組みつけた係合・解除機構３７と、から構成し、係合・解除機構３７を、係止ピン６５を有する揺動アーム７１と、係止ピン６５が、取り付け部に設けられた係合部の外周に押し付けられるように揺動アーム７１を付勢するトーションスプリング１１１と、この揺動アーム７１をトーションスプリング１１１のバネ力に抗して揺動するように押す解除シャフトと、から構成する。係合部の外周面の外端部に、係止ピン６５が係合する支持保持係合溝を形成し、係合部の外周面の内端部に、係止ピン６５が係合する収納保持係合溝を形成しておく。【選択図】図３
0003154774.tif 000002
【実用新案登録請求の範囲】
【請求項１】
こたつの支持脚取り付け構造であって、
こたつ櫓の角部に設けられた取り付け部と、下方に延びる支持状態及び側方内側に折れ曲がる収納状態に回転して変化できるように前記取り付け部に接続された支持脚と、前記取り付け部の下端部に構成された係合部と、前記支持脚の上端側に構成され、前記支持脚が支持状態となったときに、前記係合部と係合するロック手段と、を備え、
前記ロック手段は、下側基端部が前記支持脚の上端側内部に回転可能に取り付けられた揺動アームと、この揺動アームの上側先端部に設けられた係止部と、この係止部が前記係合部の外周に押し付けられるように前記揺動アームを付勢するバネ部材と、先端部が前記揺動アームを押すように構成され、後端部に設けられた押圧部が前記支持脚の内側壁部に配置された解除シャフトと、を有し、
前記係合部の外周には、前記支持脚が支持状態のときに、前記係止部が係合して前記支持脚が折れ曲がるのを阻止する支持保持係合部分が形成されていて、
前記解除シャフトは、前記押圧部を前記解除シャフトの延びる方向に押し込むと、前記バネ部材のバネ力に抗して前記揺動アームを押して揺動させ、前記係止部を前記係合部の外周から引き離すように構成されている、ことを特徴とするこたつの支持脚取り付け構造。
【請求項２】
前記揺動アームは、前記支持脚の上端側内部の外側寄りに配置されている、ことを特徴とする請求項１記載のこたつの支持脚取り付け構造。
【請求項３】
前記係合部の外周には、前記支持脚が収納状態のときに、前記係止部が係合して前記支持脚が伸びるのを阻止する収納保持係合部分が形成されている、ことを特徴とする請求項１又は２記載のこたつの支持脚取り付け構造。
【請求項４】
前記揺動アームの前記係止部は係止ピンであり、前記支持保持係合部分及び前記収納保持係合部分は、前記係止ピンが嵌まり込むように形成された溝部分である、ことを特徴とする請求項３記載のこたつの支持脚取り付け構造。
【請求項５】
前記解除シャフトは、前記支持脚に設けられた一対の支持アームにスライド可能に挟まれて支えられている、ことを特徴とする請求項１、２、３又は４記載のこたつの支持脚取り付け構造。
【請求項６】
前記解除シャフトの両側又は両側面にはスライド凹部が設けられていて、前記支持アームは、前記スライド凹部を先端部で挟んでスライド可能に支えるように構成されている、ことを特徴とする請求項５記載のこたつの支持脚取り付け構造。
【請求項７】
前記解除シャフトは断面四角形部分を有し、この断面四角形部分の両側面に前記スライド凹部が設けられている、ことを特徴とする請求項６記載のこたつの支持脚取り付け構造。
【請求項８】
前記解除シャフトは断面円形部分を有し、この断面円形部分を先端部で挟んでスライド可能に支える一対の支持スライドアームをさらに有している、ことを特徴とする請求項７記載のこたつの支持脚取り付け構造。
【請求項９】
前記スライド凹部には長さ方向に延びる凸条が形成されていて、前記支持アームの前記先端部には、前記凸条が嵌まり込む長さ方向に延びるスライド溝が設けられている、ことを特徴とする請求項６、７又は８記載のこたつの支持脚取り付け構造。
【考案の詳細な説明】
【技術分野】
【０００１】
本考案は、こたつ櫓に構成される支持脚取り付け構造に関する。
【背景技術】
【０００２】
こたつ櫓の支持脚取り付け構造としては、櫓の４隅角部に取り付け部を設け、この取り付け部に、下方に延びる支持状態及び側方内側に折れ曲がる収納状態に回転して変化できるように支持脚を接続したものが用いられている。このような折れ脚構造では、こたつの使用時に、不意に支持脚が折れ曲がってしまわないように、支持脚が支持状態に回転して変化したとき、支持脚の折れ曲がりを防止するロック手段が作動するように構成される。このようなロック手段としては、例えば特許文献１に示すように、取り付け側凸部と脚体側凹部にそれぞれ係止溝を形成しておき、脚体が支持状態となったときに、脚体側凹部の係止溝に嵌まり込んでいたストッパの係止歯が、取り付け側凸部の係止溝に嵌まり込んで、脚体側凹部を取り付け側凸部に対して回転しないようにするといったものが知られている。
【先行技術文献】
【特許文献】
【０００３】
【特許文献１】実用新案登録第３００３８４７号公報
【考案の概要】
【考案が解決しようとする課題】
【０００４】
ここで、ストッパが脚体の内側壁部に沿って移動するように構成すると、脚体が側方内側に折れ曲がるにしたがって、ストッパの係止歯は取り付け側凸部から離れていくので、例えば、ストッパは、脚体が収納状態から支持状態に変化するときの阻止機能を有することができない。したがって、例えば、収納状態の脚部が回転しやすく、こたつ櫓の取り扱い性が良くない。また、ストッパが脚体の延びる方向と直交する方向に移動するように構成すると、脚体を折り曲げるときに、ストッパの係止歯が取り付け側凸部の係止溝から抜け出るまで、ストッパを大きく押し込まなくてはならないので、やはりこたつ櫓の取り扱い性が良くない。
【０００５】
そこで本考案は、簡単な構造で取り扱い性に優れたこたつの支持脚取り付け構造を提供することを目的とする。
【課題を解決するための手段】
【０００６】
この目的を達成するため、本考案は、こたつの支持脚取り付け構造であって、こたつ櫓の角部に設けられた取り付け部と、下方に延びる支持状態及び側方内側に折れ曲がる収納状態に回転して変化できるように前記取り付け部に接続された支持脚と、前記取り付け部の下端部に構成された係合部と、前記支持脚の上端側に構成され、前記支持脚が支持状態となったときに、前記係合部と係合するロック手段と、を備え、前記ロック手段は、下側基端部が前記支持脚の上端側内部に回転可能に取り付けられた揺動アームと、この揺動アームの上側先端部に設けられた係止部と、この係止部が前記係合部の外周に押し付けられるように前記揺動アームを付勢するバネ部材と、先端部が前記揺動アームを押すように構成され、後端部に設けられた押圧部が前記支持脚の内側壁部又は内側壁部内に配置された解除シャフトと、を有し、前記係合部の外周には、前記支持脚が支持状態のときに、前記係止部が係合して前記支持脚が折れ曲がるのを阻止する支持保持係合部分が形成されていて、前記解除シャフトは、前記押圧部を前記解除シャフトの延びる方向に押し込むと、前記バネ部材のバネ力に抗して前記揺動アームを押して揺動させ、前記係止部を前記係合部の外周から引き離すように構成されているものである。支持脚は、例えば内側部又は内側端部を中心として回転できるように取り付け部に接続される。支持脚が支持状態となり、揺動アームの係止部が係合部の支持保持係合部分に係合すると、係合部に対して揺動アームを、折り曲げ方向に回転させることができなくなる。すなわち、取り付け部に対して支持脚を折り曲げ方向に回転させることができない。支持脚が支持状態のときに解除シャフトの押圧部を押し込むと、揺動アームが揺動して係止部の支持保持係合部分との係合が解除される。係合部の外周は、例えば、凸状に湾曲するように、又は円弧状の凸状に湾曲するように形成できる。
【０００７】
揺動アームは、支持脚の上端側内部の外側寄り又は外側に配置することができる。
【０００８】
係合部の外周には、支持脚が収納状態のときに、係止部が係合して支持脚が伸びるのを阻止する収納保持係合部分を形成することができる。支持脚が収納状態となり、揺動アームの係止部が係合部の収納保持係合部分に係合すると、係合部に対して揺動アームを、伸ばす方向に回転させることができなくなる。すなわち、取り付け部に対して支持脚を伸ばす方向に回転させることができない。支持脚が収納状態のときに解除シャフトの押圧部を押し込むと、揺動アームが揺動して係止部の収納保持係合部分との係合が解除される。そして、揺動アームの係止部を係止ピンとし、支持保持係合部分及び収納保持係合部分を、係止ピンが嵌まり込むように形成された溝部分とすることができる。このように構成することにより、簡単な構造で、効果的な係合構造を確保できる。
【０００９】
解除シャフトは、支持脚に設けられた一対の支持アームでスライド可能に挟んで支えることができる。また、解除シャフトの両側又は両側面にスライド凹部を設けておき、支持アームが、スライド凹部を先端部で挟んでスライド可能に支えるように構成できる。ここでは、解除シャフトが断面四角形部分を有するように形成し、スライド凹部をこの断面四角形部分の両側面に設けることができる。このように構成すると、スライド凹部の端部と支持アームとの当接により、解除シャフトの移動を規制でき、しかも、支持アームを配置してから解除シャフトを配置したり、あるいは、解除シャフトを配置してから支持アームを配置したりして、簡単に解除シャフト構造を構成することが可能である。ここでは、一対の支持アームは、例えば、開くように弾性変形できるように形成される。このような構成では、例えば、解除シャフトを支持アーム間に相対的に押し込んで取り付けることができる。スライド凹部に長さ方向に延びる凸条を形成し、支持アームの先端部に、凸条が嵌まり込む長さ方向に延びるスライド溝を設ければ、支持アームの解除シャフトに対する案内・支持機能が高まる。そして、断面四角形部分を有する解除シャフトに、断面円形部分を形成し、この断面円形部分を先端部で挟んでスライド可能に支える一対の支持スライドアームをさらに設ければ、構成を複雑にすることなく、十分なかつ安定した解除シャフトの支持構造を構成できる。一対の支持スライドアームは、例えば、開くように弾性変形できるように形成される。このような構成では、例えば、解除シャフトを支持スライドアーム間に相対的に押し込んで取り付けることができる。
【００１０】
なお、実用新案登録請求の範囲や明細書では、基本的には、支持脚が支持状態のときを基準として位置関係を説明している。
【考案の効果】
【００１１】
本考案では、揺動アームの上下方向中間部や下側部を解除シャフトで押すように構成することにより、解除シャフトの押し込み量が小さくても、揺動アームの係止部を大きく移動させ、係合部の支持保持係合部分と係止部の係合を確実に解除することができる。
【図面の簡単な説明】
【００１２】
【図１】本考案に係るこたつの支持脚取り付け構造を用いたこたつ櫓の斜視図である。
【図２】取り付け部及び支持脚の連結体の斜視図である。
【図３】支持脚の上端側の内部構造を示す図である。
【図４】接続ロック装置の分解斜視図である。
【図５】揺動アームの断面図である。
【図６】前側の支持部材を示す図である。
【図７】後側の支持部材を示す図である。
【図８】支持収容部の内側面部形状を示す図である。
【図９】取り付け部の下端部の内部構造を示す図である。
【図１０】係合部材の側面図である。
【図１１】取り付け部と支持脚とを接続した場合の接続個所の内部構造を示す図である。
【図１２】支持脚を操作するときの係合・解除機構の機能を説明するための図であり、支持状態の支持脚の折り曲げを開始するまでを説明する図である。
【図１３】支持脚を操作するときの係合・解除機構の機能を説明するための図であり、支持状態の支持脚を折り曲げる場合を説明する図である。
【考案を実施するための形態】
【００１３】
図１は本考案に係るこたつの支持脚取り付け構造を用いたこたつ櫓の斜視図、図２は取り付け部及び支持脚の連結体の斜視図である。
【００１４】
こたつ櫓１は、天板３と、４隅角部にそれぞれ取り付け部５が設けられた、天板３が載置される中天板７と、この中天板７のそれぞれの取り付け部５に接続された支持脚９と、から構成され、天板３と中天板７との間にこたつ布団（図示せず）を挟むように配置して使用するものである。取り付け部５は、かまぼこ型（内側壁部１１又は内側壁部１１の外面が平板状又は平面状に形成され、この内側壁部１１の両側の幅の狭い側壁部１３又は側壁部１３の外面が平板状又は平面状に形成され、外側壁部１５又は外側壁部１５の外面が円弧状に外側に向かって膨らむように形成されている）の下側部１７及びレモン型の上側部１９とから一体的に形成され、下側部１７は、上側部１９の下端外周に形成された上端面２１を有し、上側部１９は、外周に凹凸形状を備えるとともに、上端面に長方形状の固定孔２３を有している。取り付け部５は、中天板７の４隅角部に形成された上側部１９と同じ形状の取り付け孔（図示せず）に、下側部１７の上端面２１が中天板７の裏面と当接するまで、上側部１９を裏面側から差し込むことにより、中天板７に取り付けられる。上側部１９を取り付け孔に差し込むと、摘み４３から延びているＴ字状の鍵（図示せず）が固定孔２３内に入り込むので、Ｔ字状の鍵が固定孔２３を横切って固定孔２３の裏面と係合するまで摘み４３を回転させれば、取り付け部５は中天板７に固定されることとなる。支持脚９は、取り付け部５の下側部１１と同形状のかまぼこ型に形成されていて、内側壁部２５又は内側壁部２５の外面が平板状又は平面状に形成され、この内側壁部２５の両側の幅の狭い側壁部２７又は側壁部２７の外面が平板状又は平面状に形成され、外側壁部２９又は外側壁部２９の外面が円弧状に外側に向かって膨らむように形成されている。
【００１５】
図３は支持脚９の上端側の内部構造を示す図、図４は接続ロック装置の分解斜視図、図５は揺動アームの断面図、図６は前側の支持部材を示す図、図７は後側の支持部材を示す図、図８は支持収容部の内側面部形状を示す図である。
【００１６】
支持脚９の上端側内部には接続ロック装置３１が配置され、固定されている。接続ロック装置３１は、上端部両側に側方に突出する固定プレート部３３が形成された支持収容部３５と、この支持収容部３５に組みつけられた係合・解除機構（ロック手段）３７と、を備えていて、支持脚９の内面に設けられたブラケット（図示せず）に固定プレート部３３を固定することにより、支持脚９内に取り付けられている。
【００１７】
支持収容部３５の上面の内側部又は内側端部には、軸孔を有する４つの回転接続部３９、４１、４１、３９が、支持収容部３５の上面から上方に突出するように、隙間を有して並んで形成されている。
【００１８】
支持収容部３５には、回転接続部３９と回転接続部４１との間の位置でそれぞれ、上面から底部に至る係合部収容凹部４７、４７が、内側で開口し、外側に延びるように形成されている。また、支持収容部３５の外側には、係合部収容凹部４７、４７の間の位置で、上面から底部に至るアーム収容室４９が、外側で開口するように形成され、アーム収容室４９の仕切壁部５１には円形のシャフト孔５３が形成されている。そして、支持収容部３５には、係合部収容凹部４７、４７の間に、アーム収容室４９に隣接し、かつ、アーム収容室４９の内側で、シャフト通過凹部５５が、回転接続部４１の外端部位置に設けられた内側寄り壁部５７まで延びるように形成されていて、この内側寄り壁部５７の内側には、上面から底部に至り、内端で開口する内側凹部５９が設けられている。そして、内側寄り壁部５７には四角形（正方形）のシャフト孔６１が形成され、内側凹部５９の開口縁部にはボタン用凹部６３が設けられている。
【００１９】
係合・解除機構３７は、上端部に係止ピン６５を有し、この上端部の下側で、外面からアーム内側壁部６７にかけてバネ収容凹部６９が形成され、下端部に軸孔を備えた揺動アーム７１と、この揺動アーム７１のアーム内側壁部６７の裏面（内側面）に形成された半球状又は半球よりもやや小さい当接凹部７３に半球状の先端部７５が入り込んで当接している又は当接する解除シャフト７７と、解除シャフト７７のスライド支持部８１と、を備え、この解除シャフト７７の後端部には円盤状の押圧ボタン７９が設けられ、解除シャフト７７は、前側部８３が断面円形であり、後側部８５が断面四角形状（断面正方形状）に形成されていて、解除シャフト７７の後側部８５の中央部では、両側面にスライド凹部８７が形成され、このスライド凹部８７には、高さ方向中央部で長さ方向に延びる凸状又はレール８９が形成されている。当接凹部７３は揺動アーム７１の高さ方向中央位置に設けられ、係止ピン６５は、揺動アーム７１の上端部から両側に突出するように設けられている。スライド支持部８１は、支持プレート部９１と、この支持プレート部９１の下面に固定された前後（内外）２つのコ字状又はＵ字状の支持部材９３、９５と、を有していて、支持部材９３、９５は、支持プレート部９１の下面に固定された固定部９７、９９と、この固定部９７、９９の幅方向両側から下側に延びる一対の支持アーム１０１、１０３と、を一体的に有している。前側の支持部材９３は、一対の支持アーム（支持スライドアーム）１０１の先端部内面が円弧状に窪むように形成され、この一対の支持アーム１０１の先端部内面で解除シャフト７７の先側部８３を両側から挟んでスライド可能に支え、後側の支持部材９５は、一対の支持アーム１０３の先端部内面に、レール８９が嵌まり込む、長さ方向に延びている案内溝１０５を有し、案内溝１０５にレール８９が嵌まり込むようにして、この一対の支持アーム１０３の先端部内面で解除シャフト７７の後端部８５に形成されたスライド凹部８７を両側から挟んでスライド可能に支えている。例えば、支持アーム１０１、１０３はそれぞれ、開くように弾性変形させることができるように形成されている。
【００２０】
このような係合・解除機構３７では、揺動アーム７１は、係止ピン６５が支持収容部３５の上面よりも上方に突出するようにして、支持収容部３５のアーム収容室４９内に収容される。揺動アーム７１の下側の軸孔には、アーム収容室４９の両側壁１０７にそれぞれ形成された支持孔に両端部がきつく嵌められて支持された回転支持シャフト１０９がゆるく通されていて、二股状に分かれている揺動アーム７１の下端部間に位置する回転支持シャフト１０９には、トーションスプリング１１１のコイル部１１３が嵌められ、このトーションスプリング１１１の一端部１１５は、アーム収容室４９の底面と接触又は底面に設けられたバネ孔に挿入され、トーションスプリング１１１の他端部１１７は、バネ収容凹部６９のアーム内側壁部６７に接触していて、揺動アーム７１は、このトーションスプリング１１１のバネ力により、回転支持シャフト１０９を中心として、上端部が内側に移動する方向に回転するように付勢されている。揺動アーム７１は、ほぼ垂直状態となって（支持状態の場合）又はほぼ水平状態となって（収納状態の場合）仕切壁部５１に当接するまで回転することができる。
【００２１】
解除シャフト７７は、支持収容部３５の内側寄り壁部５７に形成されたシャフト孔６１及び支持収容部３５の仕切壁部５１に形成されたシャフト孔５３をそれぞれ通過し、解除シャフト７７の先端部７５が揺動アーム７１の当接凹部７３に当接するように、シャフト通過凹部５５を貫通して配置されている。ここでは、円形のシャフト孔５３を解除シャフト７７の前側部８３が通過し、四角形のシャフト孔６１を解除シャフト７７の後側部８５が通過している。
【００２２】
スライド支持部８１の支持プレート部９１は、シャフト通過凹部５５の上端部に固定されている。仕切壁部５１のシャフト通過凹部５５側では、上端よりも若干下側で段部９２が形成され、シャフト通過凹部５５の側壁上端９４は、段部９２と同一の高さに位置していて、支持プレート部９１は、シャフト通過凹部５５の段部９２及び側壁上端９４に載った状態で、仕切壁部５１と回転接続部４１との間にきつく嵌め付けられ、また、突出部４５が回転接続部４１、４１間にきつく嵌め付けられて、シャフト通過凹部５５を塞ぐように固定される。ここでは、支持プレート部９１をシャフト通過凹部５５の上端部に固定してから、解除シャフト７７をシャフト通過凹部５５内に通すことができる。この場合には、内側寄り壁部５７のシャフト孔６１、支持プレート部９１から下側に延びる後側の支持部材９５（一対の支持アーム１０３）の間、前側の支持部材９３（一対の支持アーム１０１）の間、そして仕切壁部５１のシャフト孔５３を通過するように、解除シャフト７７をシャフト通過凹部５５内に通し、解除シャフト７７の前側部８３が前側の支持部材９５でスライド可能に支えられ、解除シャフト７７の後側部８５に形成されたスライド凹部８７が後側の支持部材９５でスライド可能に支えられるように、解除シャフト７７を配置する。あるいは、解除シャフト７７をシャフト通過凹部５５内に通しておいてから、支持プレート部９１をシャフト通過凹部５５の上端部に固定し、解除シャフト７７の前側部８３を前側の支持部材９３（一対の支持アーム１０１）で上側から挟みいれてスライド可能に支え、解除シャフト７７の後側部８５に形成されたスライド凹部８７を後側の支持部材９５（一対の支持アーム１０３）で上側から挟みいれてスライド可能に支えるといったことも可能である。一対の支持アーム（支持スライドアーム）１０１及び一対の支持アーム１０３は、解除シャフト７７を挟むときに、例えば、弾性的に開き変形する。
【００２３】
解除シャフト７７の押圧ボタン７９は、支持脚９の内側壁部２５に形成されたボタン孔１１８内に嵌まり込んでいる。
【００２４】
図９は取り付け部５の下端部の内部構造を示す図、図１０は係合部材の側面図である。
【００２５】
取り付け部５の下側部１７の下端部には係合部材１１９が配置され、固定されている。係合部材１１９は、取り付け部５の下側部１７の下端面を形成する閉塞プレート部１２１と、この閉塞プレート部１２１の内側端部に形成された、軸孔を有する一対の回転接続部１２３、１２３と、それぞれの回転接続部１２３、１２３に一体的に形成されるとともに、閉塞プレート部１２１の下面に一体的に形成されて下側に突出する一対の係合部１２５、１２５と、から構成されていて、下側部１７の内面に設けられたブラケット（図示せず）に閉塞プレート部１２１を固定することにより、取り付け部５に取り付けられている。それぞれの係合部１２５は、回転接続部１２３の軸孔を中心とする厚肉の扇形状に形成されていて、係合部１２５の外周面の外端部には、下方外側に水平面状のストッパ部１２６が形成され、このストッパ部１２６の奥側にほぼ半円形の凹部を有する断面形状の支持保持係合溝（支持保持係合部分）１２７が形成され、係合部１２５の外周面の内端部には、ほぼ半円形の断面形状の浅い収納保持係合溝（収納保持係合部分）１２９が形成されている。支持保持係合溝１２７（半円形部分）及び収納保持係合溝１２９の径は、揺動アーム７１の係止ピン６５の外径とほぼ等しいように、あるいは、揺動アーム７１の係止ピン６５の外径よりも多少大きいように設定されている。
【００２６】
図１１は取り付け部５と支持脚９とを接続した場合の接続個所の内部構造を示す図である。
【００２７】
取り付け部５に支持脚９を接続するには、係合部材１１９のそれぞれの回転接続部１２３を、支持収容部３５の回転接続部３９と回転接続部４１との間に配置し、回転接続部３９、４１、１２３の軸孔に回転接続シャフト１３１を通す。そうすると、支持脚９は、この回転接続シャフト１３１を中心として、取り付け部５に対して回転することができるように、取り付け部５に接続される。ここでは、揺動アーム７１の係止ピン６５が係合部１２５の外周面に押し付けられていて（ただし、係止ピン６５は支持保持係合溝１２７の半円形部分に少なくとも全体的には接触しない）、係合部１２５は、支持脚９が支持状態となったときには、係合部収容凹部４７内に全体的に又はほぼ全体的に収容され（図１１に示す状態）、支持脚９が収納状態となったときには、係合部収容凹部４７内から全体的に相対的に抜け出ることとなる。なお、閉塞プレート部１２１の底面には、係合部１２５、１２５の間で、揺動アーム７１の上端を収容する凹部１２８が設けられている（図１０参照）。
【００２８】
図１２は支持脚９を操作するときの係合・解除機構３７の機能を説明するための図であり、支持状態の支持脚９の折り曲げを開始するまでを説明する図である。
【００２９】
支持脚９が支持状態となると、係合部１２５の外周に押し付けられていた揺動アーム７１の係止ピン６５が支持保持係合溝１２７内に嵌まり込んでこの支持保持係合溝１２７と係合し、揺動アーム７１はほぼ垂直状態となる（１２ａ）。揺動アーム７１の内側方向への揺動範囲は仕切壁部５１に当接するまでなので、係止ピン６５は、支持保持係合溝１２７の底部手前に位置しているが、係止ピン６５は支持保持係合溝１２７のストッパ部１２６と係合し、例えば垂直下方への移動が阻止されるので、支持脚９が折れ曲がるのを十分に防止する。ここでは、解除シャフト７７は、先端部７５が揺動アーム７１のアーム内側壁部６７の当接凹部７３に押されて、押圧ボタン７９がボタン用凹部６３から離れて位置するように、内側方向に移動している。そして、解除シャフト７７がそれ以上内側方向にずれないように、後側の支持部材９５（一対の支持アーム１０３）は、解除シャフト７７のスライド凹部８７の前端部と当接し係合している。ここで、支持脚９を折り曲げるには、支持脚９の内側壁部２５に形成されたボタン孔１１８内に嵌まり込んでいる解除シャフト７７の押圧ボタン７９を、例えば、支持収容部３５の内側凹部５９の開口縁部に形成されているボタン用凹部６３に当接するまで又は入り込むまで押し込む。そうすると、解除シャフト７７は、前側の支持部材９３及び後側の支持部材９５に支えられたまま、一対の支持アーム１０１及び一対の支持アーム１０３の間をスライドして外側に移動する。解除シャフト７７が外側に移動すると、解除シャフト７７の先端部７５が揺動アーム７１の当接凹部７３を押すので、揺動アーム７１が外側に揺動し、係止ピン６５が支持保持係合溝１２７から抜け出る（１２ｂ）。支持保持係合溝１２７には、係止ピン６５が抜け出るときの移動方向に障害部は形成されていない。解除シャフト７７の押し込み量に対して係止ピン６５の外側への移動量は大きい。
【００３０】
図１３は支持脚９を操作するときの係合・解除機構３７の機能を説明するための図であり、支持状態の支持脚９を折り曲げる場合を説明する図である。
【００３１】
支持脚９を収納状態とするには、押圧ボタン７９を押し込み、支持脚９を折り曲げて取り付け部５に対して回転させる。支持脚９を回転させると、揺動アーム７１の係止ピン６５が係合部１２５の外周に押し付けられるので、係止ピン６５は係合部１２５の外周上をスライドする。ここでは、押圧ボタン９５をボタン用凹部６３に当接、接触又は接近させ、あるいは入り込ませておくことができる（１３ａ）。そして、支持脚９が収納状態（例えば中天板７と平行又はほぼ平行状態）となると、係合部１２５の外周に押し付けられていた揺動アーム７１の係止ピン６５が収納保持係合溝１２９と一致する。そうすると、揺動アーム７１は仕切壁部５１に当接するまで内側に揺動し、係止ピン６７は収納保持係合溝１２９内に嵌まり込んでこの収納保持係合溝１２９と係合する（１３ｂ）。ここでは、揺動アーム７１はほぼ水平状態となっていて、係止ピン６５は、収納保持係合溝１２９によって、例えば水平外側への移動が阻止されるので、支持脚９が伸びるのを十分に防止する。支持脚９を伸ばすには、支持脚９を折り曲げるときと同様に、解除シャフト７７の押圧ボタン７９を押し込んで揺動アーム７１を揺動させ、係止ピン６５が収納保持係合溝１２９から抜け出るようにする。収納保持係合溝１２９は浅いので、押凹ボタン７９を押しても、係止ピン６５と収納保持係合溝１２９との係合が解除されにくいといったことはない。収納保持係合溝１２９には、係合解除時に係止ピン６５が抜け出る方向で障害部は形成されていない。
【産業上の利用可能性】
【００３２】
本考案のこたつの支持脚取り付け構造を用いれば、使い勝手の良好なこたつを提供することができる。
【符号の説明】
【００３３】
１                      こたつ櫓
５                      取り付け部
９                      支持脚
３７                    係合・解除機構（ロック手段）
６５                    係止ピン（係止部）
７１                    揺動アーム
７７                    解除シャフト
７９                    押圧ボタン
１１１                  トーションスプリング（バネ部材）
１２５                  係合部
１２７                  支持保持係合溝（支持保持係合部分）
１２９                  収納保持係合溝（収納保持係合部分）
【図１】
0003154774.tif 000003
【図２】
0003154774.tif 000004
【図３】
0003154774.tif 000005
【図４】
0003154774.tif 000006
【図５】
0003154774.tif 000007
【図６】
0003154774.tif 000008
【図７】
0003154774.tif 000009
【図８】
0003154774.tif 000010
【図９】
0003154774.tif 000011
【図１０】
0003154774.tif 000012
【図１１】
0003154774.tif 000013
【図１２】
0003154774.tif 000014
【図１３】
0003154774.tif 000015